(57)【要約】【課題】吐出させた液体が形成する形成物の未乾燥部分をなくすことが可能な液体を吐出する装置及び吐出させた液体の乾燥方法を提供する。【解決手段】液体を吐出する装置において、液体が付着可能なものに液体を付着させることにより液体形成物を形成する液体吐出ヘッドと、上記液体形成物を加熱するヒータと、上記液体が付着可能なものに対して上記液体吐出ヘッドにより上記液体形成物が形成されたものを上記ヒータの加熱範囲において複数の搬送経路を介して搬送する搬送部と、を備える。【選択図】図２
2017094515.tif 000002
【特許請求の範囲】
【請求項１】
液体が付着可能なものに液体を付着させることにより液体形成物を形成する液体吐出ヘッドと、
前記液体形成物を加熱するヒータと、
前記液体が付着可能なものに対して前記液体吐出ヘッドにより前記液体形成物が形成されたものを前記ヒータの加熱範囲において複数の搬送経路を介して搬送する搬送部と、
を有する液体を吐出する装置。
【請求項２】
前記複数の搬送経路は、水平面に対して角度をなしている、
請求項１に記載の液体を吐出する装置。
【請求項３】
前記複数の搬送経路は、水平面に対して直交している、
請求項１に記載の液体を吐出する装置。
【請求項４】
前記ヒータを少なくとも２つ有し、
何れのヒータも、加熱範囲に前記複数の搬送経路を有する、
請求項１に記載の液体を吐出する装置。
【請求項５】
前記ヒータの内の少なくとも２つのヒータは、加熱面を前記複数の搬送経路に向け、各加熱面が向かい合うように設置されている、
請求項４に記載の液体を吐出する装置。
【請求項６】
前記複数の搬送経路として平行な第１の搬送経路と第２の搬送経路とを有し、
前記液体が付着可能なものに対して前記液体吐出ヘッドにより前記液体形成物が形成されたものを、前記搬送部は前記第１の搬送経路から前記第２の搬送経路に１８０°向きを変えて搬送する、
請求項１に記載の液体を吐出する装置。
【請求項７】
前記液体が付着可能なものに対して前記液体吐出ヘッドにより前記液体形成物が形成されたものを搬送する搬送速度に応じて前記ヒータの出力を制御するヒータ出力制御部を有する、
請求項１に記載の液体を吐出する装置。
【請求項８】
前記液体が付着可能なものの坪量に応じて前記ヒータの出力を制御するヒータ出力制御部を有する、
請求項１に記載の液体を吐出する装置。
【請求項９】
前記液体が付着可能なものに対する前記液体の吐出量に応じて前記ヒータの出力を制御するヒータ出力制御部を有する、
請求項１に記載の液体を吐出する装置。
【請求項１０】
液体を吐出させる装置で実行される、吐出させた液体の乾燥方法であって、
ヒータを加熱する工程と、
液体が付着可能なものに液体を吐出させたものを前記ヒータの加熱範囲に複数回搬送させる工程と、
を含む吐出させた液体の乾燥方法。
【発明の詳細な説明】
【技術分野】
【０００１】
本発明は、液体を吐出する装置及び吐出させた液体の乾燥方法に関する。
【背景技術】
【０００２】
従来、印字情報を紙などの記録媒体に記録する方式として、インク滴を紙等の記録媒体に吐出させて付着させるインクジェット記録方式が画像形成装置に幅広く適用されている。インクジェット記録方式は高速化が容易なため、記録媒体の搬送速度に高速化の傾向がみられる。
【発明の概要】
【発明が解決しようとする課題】
【０００３】
しかしながら、記録媒体の搬送速度の高速化が進むに連れ、搬送中の自然乾燥だけでは記録媒体上のインクが十分に乾燥しない。未乾燥のままだと、インクによる、ピッキングや、オフセットや、ロール紙の巻き取り時の裏移り等、印字品質を低下させる不具合が発生するので問題である。また、画像形成装置に限らず、その他の液体を吐出する装置においても、液体が未乾燥のままだと後工程等で不具合が発生する恐れがあるので改善が必要である。
【０００４】
本発明は、上記に鑑みてなされたものであって、吐出させた液体が形成する形成物（液体形成物）の未乾燥部分をなくすことが可能な液体を吐出する装置及び吐出させた液体の乾燥方法を提供することを目的とする。
【課題を解決するための手段】
【０００５】
上述した課題を解決し、目的を達成するために、本発明は、液体を吐出する装置において、液体が付着可能なものに液体を付着させることにより液体形成物を形成する液体吐出ヘッドと、上記液体形成物を加熱するヒータと、上記液体が付着可能なものに対して上記液体吐出ヘッドにより上記液体形成物が形成されたものを上記ヒータの加熱範囲において複数の搬送経路を介して搬送する搬送部と、を有することを特徴とする。
【発明の効果】
【０００６】
本発明によれば、吐出させた液体が形成する形成物が十分に乾燥し、未乾燥部分による不具合を回避することができるという効果を奏する。
【図面の簡単な説明】
【０００７】
【図１】図１は、実施形態にかかるインクジェット記録装置の構成例を模式的に示した図である。
【図２】図２は、乾燥機構の構成例を示す図である。
【図３】図３は、インクジェット記録装置のハードウエアの制御ブロックの一例を示す図である。
【図４】図４は、主制御部が実現する主な機能の一例を示すブロック図である。
【図５】図５は、インクジェット記録装置の印字処理の手順の一例を示すフロー図である。
【図６】図６は、インクジェット記録装置がステップＳ３、Ｓ４の処理において行う乾燥手順の一例を示すフロー図である。
【図７】図７は、変形例１の乾燥機構の構成図である。
【図８】図８は、変形例２の主制御部が実現する主な機能の一例を示すブロック図である。
【図９】図９は、変形例３の主制御部が実現する主な機能の一例を示すブロック図である。
【図１０】図１０は、変形例４の主制御部が実現する主な機能の一例を示すブロック図である。
【発明を実施するための形態】
【０００８】
以下に添付図面を参照して、液体を吐出する装置及び吐出させた液体の乾燥方法の実施の形態を詳細に説明する。本願において「液体を吐出する装置」は、液体吐出ヘッド又は液体吐出ユニットを備え、液体吐出ヘッドを駆動させて液体を吐出させる装置である。「液体を吐出する装置」には、液体が付着可能なものに対して液体を吐出することが可能な装置だけでなく、液体を気中や液中に向けて吐出する装置も含まれる。例えば、画像形成装置、立体造形装置、処理液塗布装置、噴射造粒装置などが該当する。以下では、「液体を吐出する装置」の一例として、画像形成装置の一つのインクジェット記録装置への適用例を示す。
【０００９】
（実施の形態）
図１は、実施形態にかかるインクジェット記録装置の構成例を模式的に示した図である。図１には、インクジェット記録装置１の画像形成にかかる構成として、インクジェットヘッドユニット１０と、搬送機構１１と、乾燥機構１２と、巻き取り装置１３を示している。
【００１０】
インクジェットヘッドユニット１０は、インク吐出ヘッド１００や、エネルギー発生源１０１や、ヘッドタンク（不図示）等を有する。エネルギー発生源１０１は、インク吐出ヘッド１００を駆動するエネルギー発生源、例えば圧電アクチュエータ（積層型圧電素子及び薄膜型圧電素子）などのことである。インク吐出ヘッド１００は、ヘッドタンクからインクの供給を随時受け、圧電アクチュエータ等のエネルギー発生源１０１により駆動し、インク滴Ａを吐出する。
【００１１】
本実施形態において、ヘッドタンクは、Ｃ（Ｃｙａｎ）、Ｍ（Ｍａｇｅｎｔ）、Ｙ（Ｙｅｌｌｏｗ）、Ｋ（Ｂｌａｃｋ）の４色のインクタンクを有し、インク吐出ヘッド１００は、各色用のノズル１０−１、１０−２、１０−３、１０−４を有する。図１において各色用のノズル１０−１、１０−２、１０−３、１０−４は、矢印Ｘが示す方向（副走査方向とする）に、Ｋ（Ｂｌａｃｋ）、Ｃ（Ｃｙａｎ）Ｍ（Ｍａｇｅｎｔ）、Ｙ（Ｙｅｌｌｏｗ）の順に配列されている。また、各色用のノズル１０−１、１０−２、１０−３、１０−４は、図１の手前から奥（主走査方向）に、それぞれ、ノズル列として設けられている。
【００１２】
インク吐出ヘッド１００は、各ノズル列を、記録媒体である連続紙１４の主走査方向の印字幅全域に設けたラインヘッドである。圧電アクチュエータ等のエネルギー発生源１０１は、主走査方向の一つ又は複数のノズルを駆動単位として、ノズル１０−１、１０−２、１０−３、１０−４ごとに設けられている。エネルギー発生源１０１の個別駆動により、駆動対象のノズルからインク滴Ａが吐出する。
【００１３】
搬送機構１１は、ロール状に巻かれた連続紙（ロール紙１５）から連続紙１４を繰り出し、繰り出した連続紙１４を、インクＡを付着させるエリア（インク吐出エリアＥ）に搬送する。更に、搬送機構１１は、インクの付着した連続紙１４をインク吐出エリアＥから乾燥機構１２内に搬送し、乾燥機構１２内で乾燥した連続紙１４については排紙側へ排出する。
【００１４】
具体的に、搬送機構１１は、給紙側搬送ローラ対１１０と、排紙側搬送ローラ対１１１と、プラテンローラ１１２を有する。給紙側搬送ローラ対１１０は、ロール紙１５から繰り出した連続紙１４を、インクを付着させる表面側とその裏面側からローラ１１０ａ、１１０ｂで挟持し、ローラ１１０ａ、１１０ｂの回転駆動により、連続紙１４を矢印Ｘの方向へ送り出す。プラテンローラ１１２は複数のローラを矢印Ｘの方向に並列に並べたものである。プラテンローラ１１２は、連続紙１４を裏面側から吸着し、エネルギー発生源に同期して回転駆動する。排紙側搬送ローラ対１１１は、乾燥後の連続紙１４を、インクの付着した表面側とその裏面側からローラ１１１ａ、１１１ｂで挟持し、ローラ１１１ａ、１１１ｂの回転駆動により、巻き取り装置１３のある排出方向へと送り出す。搬送機構１１は、各ローラが所定のタイミングで回転駆動し、連続紙１４をロール紙１５から給紙して排紙側へ搬送する。
【００１５】
乾燥機構１２は、インク吐出エリアＥにおいてインク吐出ヘッド１００が連続紙１４の表面に付着させた各色のインクＡを乾燥させる乾燥装置や機構などを有する。乾燥機構１２は、例えば連続紙１４を乾燥させる複数の乾燥経路（搬送経路）や、乾燥経路を通過する連続紙を乾燥させるヒータなどを有する。
【００１６】
巻き取り装置１３は、排紙側搬送ローラ対により排紙された連続紙を巻き取る装置である。
【００１７】
図２は、乾燥機構１２の構成例を示す図である。図２に示す一例の乾燥機構１２は、乾燥経路１２０（１２０ａ、１２０ｂ）と、排出経路１２１と、加熱ローラ１２２と、アイドルローラ１２３（１２３ａ、１２３ｂ、１２３ｃ、１２３ｄ）と、ヒータ１２４（１２４ａ、１２４ｂ、１２４ｃ、１２４ｄ）を有する。
【００１８】
図２において、連続紙１４は、手前から奥に幅を有する。連続紙１４は、同図の右側から乾燥機構１２内に入り、乾燥経路１２０と排出経路１２１を通過して、乾燥機構１２の左側へ排出されるように移動する。乾燥経路１２０と排出経路１２１は、本実施形態では、ローラを組み合わせて形成する。加熱ローラ１２２は、連続紙１４をインクＡの付着面の裏面から加熱してインクＡを乾燥させる加熱可能なローラである。この加熱ローラ１２２を用い、プラテンローラ１１２側から排紙された連続紙１４を、水平に保ちながら、第１の乾燥経路１２０ａを移動させる。更に、加熱ローラ１２２は、第１の乾燥経路１２０ａに導いた連続紙１４の搬送方向を変えて第２の乾燥経路１２０ｂに導く反転ローラとしても機能させる。ここでは、一例として、搬送方向を１８０°反転させたものを示す。なお、図２中には、加熱ローラ１２２を一つの加熱ローラとして示しているが、連続紙１４の搬送方向に対して複数の加熱ローラを組み合わせるなどして設けても良い。
【００１９】
第１の乾燥経路１２０ａと第２の乾燥経路１２０ｂの設置間隔、図２においては、第１の乾燥経路１２０ａを搬送する連続紙１４と第２の乾燥経路１２０ｂを逆向きに搬送する連続紙１４の相互距離は、距離の遠い側の乾燥経路を通る連続紙１４に所定の熱を加えることのできる距離に設定することが望ましい。なお、第１の乾燥経路１２０ａを通過中に連続紙１４の単位領域で受けた熱量と、第２の乾燥経路１２０ｂを通過中に連続紙１４の同じ領域で受けた熱量との総和は、単位領域のインクを乾燥させるのに必要な熱量以上とすることが望ましい。第１の乾燥経路１２０ａと第２の乾燥経路１２０ｂの最適な間隔は、インクの種類や、連続紙１４の紙の特性や、連続紙１４の搬送速度や、ヒータ１２４の加熱方式や、ヒータ１２４と２つの乾燥経路の配置関係などの因子によって変化する。従って、それらの間隔は、各因子に従って適宜設定するものとする。
【００２０】
一例として、赤外線加熱方式の場合、赤外線のエネルギーは距離によって減衰する傾向がある。このため、距離の遠い側の乾燥経路を通る連続紙１４を効率よく加熱するために、第１の乾燥経路１２０ａと第２の乾燥経路１２０ｂの設置間隔を５０ｍｍ〜２００ｍｍの範囲に調節することが望ましい。この距離では、距離の遠い側の乾燥経路を通る連続紙１４に対する赤外線のエネルギーの弱まりが少なく、連続紙１４を第１の乾燥経路１２０ａ上と第２の乾燥経路１２０ｂ上の合計２回、一つのヒータ（ヒータ１２４ａ、ヒータ１２４ｂ、ヒータ１２４ｃ、ヒータ１２４ｄ）で効率よく加熱することができる。つまり、連続紙１４のインクＡをより良く乾燥させることができる。
【００２１】
アイドルローラ１２３の内の第１のローラ１２３ａは、連続紙１４を第２の乾燥経路１２０ｂから排出経路１２１へ導くように機能する。第２のローラ１２３ｂ、第３のローラ１２３ｃ、及び第４のローラ１２３ｄは、排出経路１２１を構成し、連続紙１４を乾燥機構１２の排出側へ導くように機能する。連続紙１４は、乾燥機構１２内において、加熱ローラ１２２、第１のローラ１２３ａ、第２のローラ１２３ｂ、第３のローラ１２３ｃ、及び第４のローラ１２３ｄに所定の張力をもって渡し架けられており、給紙側搬送ローラ対１１０や、排紙側搬送ローラ対１１１や、プラテンローラ１１２などの回転駆動によって乾燥機構１２内を上流から下流（搬送方向）に移動する。
【００２２】
ヒータ１２４は、赤外線加熱により対象物を乾燥させる加熱ユニットである。ヒータ１２４は、例えばセラミックヒータやシリコンラバーヒータやアルミ箔ヒータやハロゲンランプヒータ等である。ヒータ１２４は、連続紙１４の紙幅全体を覆う形状の発熱体であり、例えば一方向に延在したニクロム線や屈曲を伴いながら一方向に延在するニクロム線等を有する。このヒータ１２４を、第１の乾燥経路１２０ａ上の連続紙１４の紙幅全面に、赤外線の照射面が連続紙１４の表面に向い合せとなるように配置する。このとき、第１の乾燥経路１２０ａ上の連続紙１４の表面と第２の乾燥経路１２０ｂ上の連続紙１４の表面における赤外線の熱量の総和が設計値以上となるように（望ましくは最大となるように）、ヒータ１２４の照射面を調節するなどして固定する。
【００２３】
本実施形態では、２つのヒータ１２４ａ、１２４ｂを第１の乾燥経路１２０ａに面して水平に並べて配置する。更に、別の２つのヒータ１２４ｃ、１２４ｄを、第２の乾燥経路１２０ｂに面して水平に並べて配置する。各ヒータ１２４ａ、１２４ｂ、１２４ｃ、１２４ｄは、それぞれ、発熱体を一つ有し、単体ユニットとして構成されている。各ヒータ１２４ｃ、１２４ｄは、それぞれ、第１の乾燥経路１２０ａ上のものと同様、第２の乾燥経路１２０ｂ上の連続紙１４の紙幅全面に、赤外線の照射面が連続紙１４の表面と向い合せになるように設置する。図２に示す例では、第１の乾燥経路１２０ａ上のヒータ１２４ａ、１２４ｂと第２の乾燥経路１２０ｂ上のヒータ１２４ｃ、１２４ｄとを互いに対向する位置に配置して、照射範囲を重ならせているが、この限りではない。向かい合うヒータの位置を互いにずらし、互いの照射範囲を異ならせても良い。
【００２４】
次に、インクジェット記録装置１のハードウエアの制御ブロックの構成について説明する。
図３は、インクジェット記録装置のハードウエアの制御ブロックの一例を示す図である。図３に示すように、インクジェット記録装置１は、主制御部２０と、タッチパネル２１と、タッチパネルコントローラ２２と、表示ディスプレイ２３と、表示コントローラ２４と、通信部２５と、用紙搬送制御部２６と、モータ２７と、印字ヘッド制御部２８と、ヒータ出力制御部２９を有する。主制御部２０と、タッチパネルコントローラ２２と、表示コントローラ２４と、通信部２５と、用紙搬送制御部２６と、印字ヘッド制御部２８と、ヒータ出力制御部２９は、バスＢ１を介して接続されている。
【００２５】
主制御部２０は、インクジェット記録装置１全体の制御を司る制御回路である。具体的に、主制御部２０は、ＣＰＵやＲＯＭやＲＡＭを有する。ＣＰＵは、中央演算処理装置であり、ＲＯＭに記憶されているプログラムを実行し、インクジェット記録装置１の制御対象を制御する。ＲＯＭは、制御プログラムや設定プログラム等を記憶する不揮発性メモリである。ＲＡＭは、ＣＰＵがワーク領域に利用する揮発性メモリである。
【００２６】
タッチパネル２１は、ユーザによるタッチ入力操作を受け付ける。タッチパネル２１は、ユーザから受け付けたタッチ入力操作の情報（例えば印字命令ボタンの位置情報等）をタッチパネルコントローラ２２を介して主制御部２０に出力する。
【００２７】
表示ディスプレイ２３は、液晶等の表示ディスプレイであり、主制御部２０から表示コントローラ２４を介して出力された表示情報を表示する。
【００２８】
通信部２５は、例えばネットワークボード等の通信インタフェースであり、外部機器と通信を行い外部機器から印字データを受信する。通信部２５は、受信した印字データを、内部のバッファメモリに記憶する。
【００２９】
用紙搬送制御部２６は、モータ２７（以下ではＤＣモータとして説明する）の回転を制御する制御回路である。用紙搬送制御部２６は、主制御部２０から出力される移動量を示す情報や設定速度を示す情報などを入力してモータ２７を回転させる。例えば、用紙搬送制御部２６は、主制御部２０から出力される移動量を示す情報に基づきＰＷＭ（Pulse  Width  Modulation）信号をモータ２７に出力する。また、用紙搬送制御部２６は、主制御部２０から出力される速度情報に基づきＰＷＭ信号のパルス幅を調節して回転速度を調節する。なお、連続紙１４の経路上に位置検知センサを設け、位置検知センサからの検知信号を用紙搬送制御部２６に入力する構成としても良い。その場合、用紙搬送制御部２６は、位置検知センサからの検知信号を随時監視し、モータ２７の回転開始や回転停止などの回転制御をより精密に行い、連続紙をより高精度に位置決めする。
【００３０】
モータ２７の出力軸には、給紙側搬送ローラ対１１０（図１参照）や、プラテンローラ１１２（図１参照）や、排紙側搬送ローラ対１１１（図１参照）や、巻き取り装置１３（図１参照）に構成される巻き取り用のローラ（不図示）など、各種ローラがギア等の伝達機構を介して接続されている。各種ローラは、モータ２７の出力軸の回転により所定のギア比で回転する。
【００３１】
印字ヘッド制御部２８は、インクジェットヘッドユニット１０（図１参照）を制御する制御回路である。本実施形態において、インク吐出ヘッド１００（図１参照）は、主走査方向に固定式のラインヘッドのため、移動の制御を伴わない。そのため、本実施形態の印字ヘッド制御部２８は、主に、印字データをドットパターン情報に変換して対応ノズルのエネルギー発生源１０１（図１参照）の駆動を制御する。具体的に、印字ヘッド制御部２８は、主制御部２０が出力する印字データと各種設定データを入力し、その印字データを単位領域のインクの吐出色や吐出量を示すドットパターン情報に変換する。更に、印字ヘッド制御部２８は、主制御部２０が出力する吐出開始の命令に基づき、用紙搬送制御部２６による連続紙の送り動作に同期させて、各ノズルのエネルギー発生源１０１を、ドットパターン情報に従って順次駆動する。この駆動により、連続紙１４（図１参照）上に単位領域毎に所定の色、所定の量のインクＡ（図１参照）が付着し、画像が形成される。
【００３２】
ヒータ出力制御部２９は、ヒータ１２４ａ、１２４ｂ、１２４ｃ、１２４ｄ（図２参照）の出力を所定値に制御する制御回路である。ヒータ出力制御部２９は、例えば、交流電源に１つのヒータとサイリスタ（２個の逆向きの並列接続したサイリスタ）を直列接続したものをヒータの数分（ここでは４組）有する。ヒータ出力制御部２９は、主制御部２０から入力される連続紙の搬送速度や連続紙の坪量などを示す設定データに基づき、各サイリスタに、それらのゲートをオンするタイミング信号を出力する。主制御部２０から、変更された設定データが入力されると、ヒータ出力制御部２９はタイミング信号のタイミングを設定データの変更に応じてずらすことで、サイリスタの出力電圧を変化（上昇又は下降）させる。サイリスタの出力電圧の変化（上昇又は下降）により、ヒータ１２４ａ、１２４ｂ、１２４ｃ、１２４ｄの端子間電圧が変化（上昇又は下降）し、ヒータ１２４ａ、１２４ｂ、１２４ｃ、１２４ｄの出力が所望の値に制御される。
【００３３】
一例として、搬送速度が「１０メートル／分」の設定データが入力された場合、ヒータ出力制御部２９は、ヒータ出力を「６００Ｗ（ワット）」に制御する。その他の例として、坪量が「１５０ｇｓｍ以上」の設定データが入力された場合、ヒータ出力制御部２９は、ヒータ出力を「１０００Ｗ（ワット）」に制御する。
【００３４】
次に、インクジェット記録装置１の主制御部２０の機能ブロックの構成について説明する。主制御部２０は、ＣＰＵによるＲＯＭのプログラムの実行により、印字処理にかかる各種機能を実現する。
【００３５】
図４は、主制御部２０の機能ブロックの主なものを一例として示した図である。図４に示すように、主制御部２０は、表示情報出力部３０や、印字命令受付部３１や、印字データ読込部３２や、印字制御部３３などを実現する。
【００３６】
表示情報出力部３０は、印字処理に係る表示情報（印字データの指定画面や、印字の命令画面等）を表示コントローラ２４を介して表示ディスプレイ２３に出力する。
【００３７】
印字命令受付部３１は、タッチパネル２１から入力された印字データの格納場所を示す情報や印字命令等を、タッチパネルコントローラ２２を介して受け付ける。
【００３８】
印字データ読込部３２は、印字命令受付部３１が受け付けた印字データの格納場所から印字データを読み込む。また、印字データ読込部３２は、通信部２５のバッファメモリに格納された未処理の印字データを読み込む。
【００３９】
印字制御部３３は、印字動作を制御する。例えば、印字制御部３３は、用紙搬送制御部２６に適宜パラメータを出力し、用紙搬送制御部２６により連続紙を搬送させる。また、印字制御部３３は、印字開始命令や、印字データ読込部３２が読み込んだ印字データを、印字ヘッド制御部２８に出力し、印字ヘッド制御部２８に印字を開始させる。また、印字制御部３３は、ヒータ出力制御部２９に適宜パラメータを出力し、ヒータ出力制御部２９にヒータの加熱を制御させる。
【００４０】
次に、インクジェット記録装置１の印字処理の方法（乾燥方法含む）を示す。
図５は、インクジェット記録装置１の印字処理の手順の一例を示すフロー図である。先ず、インクジェット記録装置１は、印字データと印字命令を受け付ける（Ｓ１）。
【００４１】
続いて、インクジェット記録装置１は、ロール紙から連続紙を給紙し、印字エリアに搬送する（Ｓ２）。給紙により乾燥機構から排紙された連続紙は巻き取り装置により巻き取らせるものとする。
【００４２】
続いて、インクジェット記録装置１は、印字データに基づいて連続紙にインクを吐出し、画像を形成する（Ｓ３）。また、インクジェット記録装置１は、ステップＳ３の画像形成の開始と共に、連続紙上の画像形成を行った印字部分を、順次、乾燥機構に導き、加熱により乾燥する。
【００４３】
続いて、インクジェット記録装置１は、画像形成の終了後に、印字部分の終了位置が排紙動作により第２の乾燥経路から抜け出ると、第１の乾燥経路上のヒータと第２の乾燥経路上のヒータの加熱を停止する（Ｓ４）。
【００４４】
そして、インクジェット記録装置１は、巻き取り装置による巻き取りが終わると、連続紙の搬送動作を停止する（Ｓ５）。
【００４５】
図６は、インクジェット記録装置１がステップＳ３、Ｓ４の処理において行う乾燥手順の一例を示すフロー図である。図６に示すように、インクジェット記録装置１は、画像の形成の開始により、第１の乾燥経路上のヒータと第２の乾燥経路上のヒータを所定温度に加熱する（Ｓ１１）。
【００４６】
続いて、インクジェット記録装置１は、インクの付着した連続紙を各ヒータの照射領域を２回通過するように搬送する（Ｓ１２）。本実施形態では、連続紙を第１の乾燥経路と第２の乾燥経路を通過させることにより、各ヒータの照射領域を２回通過させる。
【００４７】
続いて、インクジェット記録装置１は、第２の乾燥経路をインクの付着部の最後部が通過し終えた後に第１の乾燥経路上のヒータと第２の乾燥経路上のヒータの加熱を停止する（Ｓ１３）。
【００４８】
本実施形態では、第１の乾燥経路と第２の乾燥経路のそれぞれにヒータを設ける例を示したがこの限りではない。第１の乾燥経路または第２の乾燥経路のどちらかにヒータを設ける構成としても良い。
【００４９】
また、本実施形態では、乾燥経路に面して水平に２つのヒータを並べて配置した構成のものを示したがこの限りではない。ヒータは、連続紙の紙幅方向全体を覆う構成であれば一つであっても複数のものを水平に配列した構成のものであっても良い。また、紙幅方向に水平に複数のヒータを配列したものであっても良い。
【００５０】
また、本実施形態では、ヒータの照射範囲に２つの乾燥経路を設けた例を示したがこの限りではない。ヒータの照射範囲に３つ以上の多数の乾燥経路を設けても良い。その場合、各乾燥経路の設置間隔は、距離の遠い側の乾燥経路を通る連続紙に所定の熱を加えることのできる距離に設定することが望ましい。具体的には、各乾燥経路を通過中に連続紙の単位領域で受けた熱量の総和が、単位領域のインクを乾燥させるのに必要な熱量以上となるようにする。
【００５１】
また、本実施形態では、ヒータを赤外線加熱によるヒータとして説明したが、マイクロ波加熱や、誘電加熱など、その他のヒータを使用しても良い。
【００５２】
また、本実施形態では、乾燥経路を水平に配置した例を示したがこの限りではない。乾燥経路を水平に対して垂直となる方向や、水平から角度を付けた方向など、適宜設計して良い。
【００５３】
また、本実施形態では、インク吐出ヘッドを駆動するエネルギー発生源として、圧電アクチュエータを使用したものを例に挙げたが、これに限定されるものではない。エネルギー発生源として、それ以外に、発熱抵抗体などの電気熱変換素子を用いるサーマルアクチュエータ、振動板と対向電極からなる静電アクチュエータなどを使用しても良い。また、噴射方式には、連続噴射式やオンデマンド式を適宜適用して良い。
【００５４】
また、本実施形態では、連続紙の例を示したが、連続紙の他、所定の大きさに断裁された用紙やフィルム等を乾燥機構に搬送する構成であっても良い。
【００５５】
また、本実施形態では、主走査方向に固定のライン式のインク吐出ヘッドを設けたインクジェット記録装置への適用例を示したが、この限りではない。インク吐出ヘッドを主走査方向に移動させるシリアル式のインクジェット記録装置に適用しても良い。この他、インク吐出ヘッドと記録媒体とが相対的に移動するインクジェット記録装置に適用しても良い。
【００５６】
また、本実施形態では、インクジェット記録装置への適用例を示したが、その他の画像形成装置、例えば、ファクシミリ装置や、プロッタ装置や、複写装置、プリンタ構成の画像形成装置などに適用しても良い。また、コピー機能、プリンタ機能、スキャナ機能およびファクシミリ機能のうち少なくとも２つの機能を有する複合機に適用しても良い。
【００５７】
（変形例１）
実施形態のインクジェット記録装置の変形例１として、乾燥機構のその他の構成例を示す。
図７は、変形例１の乾燥機構７２の構成図である。図７の乾燥機構７２は、実施形態の乾燥機構１２（図２参照）において乾燥経路を水平面に垂直になる向きに変形し、その乾燥経路に面してヒータを設置し直したものである。
【００５８】
図７に示すように、乾燥機構７２は、乾燥経路７２０（７２０ａ、７２０ｂ）と、排出経路７２１と、加熱ローラ７２２と、アイドルローラ７２３（７２３ａ、７２３ｂ、７２３ｃ、７２３ｄ、７２３ｅ、７２３ｆ）と、ヒータ７２４（７２４ａ、７２４ｂ、７２４ｃ、７２４ｄ）を有する。
【００５９】
図７において、連続紙１４は、手前から奥に幅を有する。連続紙１４は、同図の右側から乾燥機構７２内に入り、乾燥経路７２０と排出経路７２１を通過して、乾燥機構７２の左側へ排出されるように移動する。乾燥経路７２０ａ、７２０ｂは、それぞれ、実施形態に乾燥経路１２０ａ、１２０ｂとして説明したものに相当する。排出経路７２１は、実施形態に排出経路１２１として説明したものに相当する。加熱ローラ７２２は、実施形態に加熱ローラ１２２として説明したものに相当する。アイドルローラ７２３は、実施形態にアイドルローラ１２３として説明したものに相当する。ヒータ７２４ａ、７２４ｂ、７２４ｃ、７２４ｄは、それぞれ、実施形態にヒータ１２４ａ、１２４ｂ、１２４ｃ、１２４ｄとして説明したものに相当する。それらの機能等の説明は繰り返しになるため省略する。
【００６０】
なお、変形例１の乾燥機構７２は、６つのアイドルローラ７２３（７２３ａ、７２３ｂ、７２３ｃ、７２３ｄ、７２３ｅ、７２３ｆ）を備えている。アイドルローラ７２３ａは、乾燥機構７２内に水平に入った連続紙１４を９０°下向きに方向転換して第１の乾燥経路７２０ａに導く機能を有する。その他の５つのアイドルローラ７２３ｂ、７２３ｃ、７２３ｄ、７２３ｅ、７２３ｆは、連続紙１４を第２の乾燥経路７２０ｂから排出経路７２１に沿って排出側へ導くように機能する。
【００６１】
２つのヒータ７２４ａ、７２４ｂは第１の乾燥経路７２０ａに面して並べて配置する。更に、別の２つのヒータ７２４ｃ、７２４ｄを、第２の乾燥経路７２０ｂに面して並べて配置する。各ヒータ７２４ａ、７２４ｂは、赤外線の照射面が第１の乾燥経路７２０ａ上の連続紙１４の表面と向い合せになるように設置する。各ヒータ７２４ｃ、７２４ｄも同じように、赤外線の照射面が第２の乾燥経路７２０ｂ上の連続紙１４の表面と向い合せになるように設置する。なお、図７に示す例では、第１の乾燥経路７２０ａ上のヒータ７２４ａ、７２４ｂと第２の乾燥経路７２０ｂ上のヒータ７２４ｃ、７２４ｄとを互いに対向する位置に配置して、照射範囲を重ならせているが、この限りではない。向かい合うヒータの位置を互いにずらし、互いの照射範囲を異ならせても良い。
【００６２】
以上のように、変形例１の乾燥機構７２の構成では、２つのヒータ７２４ａ、７２４ｂと、２つのヒータ７２４ｃ、７２４ｄとを、それぞれ、水平面に垂直になる向きに設置するようにした。この設置向きでは、乾燥機構７２の幅を狭く設計できるので、乾燥機構７２に設置面積を小さくすることが可能になる。
【００６３】
（変形例２）
連続紙の搬送速度に応じてヒータ出力を制御するインクジェット記録装置の態様を示す。以下では、実施形態のインクジェット記録装置１と異なる箇所について主に説明する。実施形態のインクジェット記録装置１と共通する箇所については、同一番号を付すなどして適宜説明を省略する。
【００６４】
ヒータ出力制御部２９（図３参照）に連続紙の搬送速度（印字速度ともいう）とヒータ出力との対応関係を示す情報（表１）を格納する。なお「表１」に示す値は、一例であり、搬送速度とヒータ出力の関係をこれらの値に制限するものではない。
【表１】
2017094515.tif 000003
【００６５】
更に、主制御部２０のＲＯＭに搬送速度の設定が可能なプログラム（変形例２のプログラム）を予め記録する。主制御部２０は、ＣＰＵによる変形例２のプログラムの実行により各種機能を実現する。
【００６６】
図８は、主制御部２０が実現する主な機能の一例を示すブロック図である。図８に示すように、主制御部２０は、表示情報出力部３０や、印字命令受付部３１や、印字データ読込部３２や、印字制御部３３や、速度設定部８０などを実現する。
【００６７】
速度設定部８０は、表示情報出力部３０に速度の設定画面情報を出力することにより、速度設定画面情報を表示ディスプレイ２３に出力させる。また、速度設定部８０は、タッチパネル２１におけるユーザの速度指定操作を、タッチパネルコントローラ２２を介して受け付ける。速度設定部８０は、速度指定操作を受け付けると、その操作が示す速度情報を印字制御部３３に出力する。
【００６８】
印字制御部３３は、速度設定部８０が出力した速度情報を用紙搬送制御部２６とヒータ出力制御部２９に出力する。この出力により、用紙搬送制御部２６は当該速度情報の示す速度で連続紙を印字及び搬送し、ヒータ出力制御部２９は、「表１」において当該速度情報（印字速度）に対応するヒータ出力となるようにタイミング信号のタイミングをずらして、サイリスタの出力電圧を変化させる。
【００６９】
以上のように、変形例２のインクジェット記録装置では、連続紙の搬送速度をユーザが指定し、その速度に応じてヒータ出力を制御できるようにした。これにより、搬送速度が遅い場合の熱の加えすぎによる連続紙の過乾燥を抑止することができる。
【００７０】
（変形例３）
連続紙の坪量に応じてヒータ出力を制御するインクジェット記録装置の態様を示す。以下では、実施形態のインクジェット記録装置１と異なる箇所について主に説明する。実施形態のインクジェット記録装置１と共通する箇所については、同一番号を付すなどして適宜説明を省略する。
【００７１】
ヒータ出力制御部２９（図３参照）に連続紙の坪量とヒータ出力との対応関係を示す情報（表２）を格納する。なお「表２」に示す値は、一例であり、坪量とヒータ出力の関係をこれらの値に制限するものではない。
【表２】
2017094515.tif 000004
【００７２】
更に、主制御部２０のＲＯＭに坪量の設定が可能なプログラム（変形例３のプログラム）を予め記録する。主制御部２０は、ＣＰＵによる変形例３のプログラムの実行により各種機能を実現する。
【００７３】
図９は、主制御部２０が実現する主な機能の一例を示すブロック図である。図９に示すように、主制御部２０は、表示情報出力部３０や、印字命令受付部３１や、印字データ読込部３２や、印字制御部３３や、坪量設定部９０などを実現する。
【００７４】
坪量設定部９０は、表示情報出力部３０に坪量の設定画面情報を出力することにより、坪量設定画面情報を表示ディスプレイ２３に出力させる。また、坪量設定部９０は、タッチパネル２１におけるユーザの坪量指定操作を、タッチパネルコントローラ２２を介して受け付ける。坪量設定部９０は、坪量指定操作を受け付けると、その操作が示す坪量情報を印字制御部３３に出力する。
【００７５】
印字制御部３３は、坪量設定部９０が出力した坪量情報をヒータ出力制御部２９に出力する。この出力により、ヒータ出力制御部２９は、「表２」において当該坪量情報に対応するヒータ出力となるようにタイミング信号のタイミングをずらして、サイリスタの出力電圧を変化させる。
【００７６】
坪量が大きい用紙の場合、用紙の温めや赤外線を透過させるために、より多くの熱量を必要とする。変形例３のインクジェット記録装置では坪量に応じてヒータ出力を制御するため、坪量が大きい用紙において、乾燥に必要な適切なヒータ出力で加熱することが可能になる。
【００７７】
（変形例４）
連続紙のインク吐出量に応じてヒータ出力を制御するインクジェット記録装置の態様を示す。以下では、実施形態のインクジェット記録装置１と異なる箇所について主に説明する。実施形態のインクジェット記録装置１と共通する箇所については、同一番号を付すなどして適宜説明を省略する。
【００７８】
ヒータ出力制御部２９（図３参照）に連続紙の最大インク吐出量（最大インク付着量）とヒータ出力との対応関係を示す情報（表３）を格納する。なお「表３」に示す値は、一例であり、最大インク吐出量とヒータ出力の関係をこれらの値に制限するものではない。
【表３】
2017094515.tif 000005
【００７９】
更に、主制御部２０のＲＯＭに最大インク吐出量の設定が可能なプログラム（変形例４のプログラム）を予め記録する。主制御部２０は、ＣＰＵによる変形例４のプログラムの実行により各種機能を実現する。
【００８０】
図１０は、主制御部２０が実現する主な機能の一例を示すブロック図である。図１０に示すように、主制御部２０は、表示情報出力部３０や、印字命令受付部３１や、印字データ読込部３２や、印字制御部３３や、最大インク吐出量算出部９５などを実現する。
【００８１】
最大インク吐出量算出部９５は、印字データ読込部３２が読み込んだ印字データに基づいてインクジェットヘッドユニット１０のインクの最大吐出量を算出する。例えば、最大インク吐出量算出部９５は、印字データを所定のドットパターンデータに変換し、単位領域毎に各色インクの吐出量の合計を算出する。そして、その算出結果から、最大インク吐出量算出部９５は、吐出量が最大のもの（最大インク吐出量）を抽出し、最大インク吐出量情報を印字制御部３３に出力する。
【００８２】
印字制御部３３は、最大インク吐出量算出部９５が出力した最大インク吐出量情報をヒータ出力制御部２９に出力する。この出力により、ヒータ出力制御部２９は、「表３」において当該最大インク吐出量情報に対応するヒータ出力となるようにタイミング信号のタイミングをずらして、サイリスタの出力電圧を変化させる。
【００８３】
インクの付着量が少ないとインクは乾燥しやすくなるので、熱量を抑制する必要がある。変形例４のインクジェット記録装置では最大インク付着量に応じてヒータ出力を制御するため、インク付着量が少ない場合であっても、過乾燥にならない程度の適切なヒータ出力で加熱することが可能になる。
【００８４】
以上に示す変形例１〜４を任意に組み合わせて画像形成装置を構成しても良い。
【００８５】
以上のように、本実施形態及び変形例１〜４においてインクジェット記録装置として一例を示した「液体を吐出する装置」は、ヒータの照射範囲に複数の乾燥経路を有するため、ヒータに近接する乾燥経路上を通過する連続紙を加熱乾燥した後においても、他の乾燥経路上を通過し終えるまで引き続き連続紙を加熱乾燥し続けることが可能になる。一例として示した赤外線加熱では、ヒータに近接する乾燥経路上を通過する連続紙に赤外線の一部が吸収され、残りは連続紙を透過する。透過した赤外線の一部は後段の乾燥経路上を通過する連続紙に吸収されることになる。つまり、連続紙上に付着したインクを、より少ない電力により十分に乾燥させることができる。その結果、未乾燥部分によるピッキングや、オフセットや、ロール紙の巻き取り時の裏移り等、印字品質を低下させる不具合が解消されることになる。
【００８６】
以上のように、本実施形態では本願の「液体を吐出する装置」の一例としてインクジェット記録装置への適用例を示した。「連続紙」などが「液体が付着可能なもの」に対応する。「インク（滴）」などが「液体」に対応する。「画像」などが「液体形成物」に対応する。「インク吐出ヘッド」などが「液体吐出ヘッド」に対応する。「照射範囲」が「加熱範囲」に対応する。「照射面」が「加熱面」に対応する。「乾燥経路」が「搬送経路」に対応する。「乾燥機構」や「搬送機構」などが「搬送部」に対応する。
【００８７】
本実施形態では、この「液体を吐出する装置」は、液体が付着可能なものの給送、搬送、排紙に係わる手段、その他、前処理装置、後処理装置なども含むことができる。
【００８８】
例えば、「液体を吐出する装置」として、インクを吐出させて用紙に画像を形成する装
置である画像形成装置、立体造形物（三次元造形物）を造形するために、粉体を層状に形
成した粉体層に造形液を吐出させる立体造形装置（三次元造形装置）がある。
【００８９】
また、「液体を吐出する装置」は、吐出された液体によって文字、図形等の有意な画像
が可視化されるものに限定されるものではない。例えば、それ自体意味を持たないパター
ン等を形成するもの、三次元像を造形するものも含まれる。
【００９０】
また、「液体を吐出する装置」としては他にも、用紙の表面を改質するなどの目的で用
紙の表面に処理液を塗布するために処理液を用紙に吐出する処理液塗布装置、原材料を溶
液中に分散した組成液をノズルを介して噴射させて原材料の微粒子を造粒する噴射造粒装
置などがある。
【００９１】
上記「液体が付着可能なもの」とは、液体が少なくとも一時的に付着可能なものであって、付着して固着するもの、付着して浸透するものなどを意味する。具体例としては、用紙、記録紙、記録用紙、フィルム、布などの被記録媒体、電子基板、圧電素子などの電子部品、粉体層（粉末層）、臓器モデル、検査用セルなどの媒体であり、特に限定しない限り、液体が付着するすべてのものが含まれる。
【００９２】
上記「液体が付着可能なもの」の材質は、紙、糸、繊維、布帛、皮革、金属、プラスチック、ガラス、木材、セラミックスなど液体が一時的でも付着可能であればよい。
【００９３】
また、「液体」は、ヘッドから吐出可能な粘度や表面張力を有するものであればよく、特に限定されないが、常温、常圧下において、または加熱、冷却により粘度が３０ｍＰａ・ｓ以下となるものであることが好ましい。より具体的には、水や有機溶媒等の溶媒、染料や顔料等の着色剤、重合性化合物、樹脂、界面活性剤等の機能性付与材料、ＤＮＡ、アミノ酸やたんぱく質、カルシウム等の生体適合材料、天然色素等の可食材料、などを含む溶液、懸濁液、エマルジョンなどであり、これらは例えば、インクジェット用インク、表面処理液、電子素子や発光素子の構成要素や電子回路レジストパターンの形成用液、３次元造形用材料液等の用途で用いることができる。
【００９４】
また、「液体を吐出する装置」は、液体吐出ヘッドと液体が付着可能なものとが相対的に移動する装置があるが、これに限定するものではない。具体例としては、液体吐出ヘッドを移動させるシリアル型装置、液体吐出ヘッドを移動させないライン型装置などが含まれる。
【００９５】
各実施形態で実行されるプログラムは、ＲＯＭなどのメモリ部に予め組み込まれて提供するものとしているが、これに限定されるものではない。各実施形態で実行されるプログラムを、コンピュータで読み取り可能な記録媒体に記録してコンピュータプログラムプロダクトとして提供してもよい。例えば、インストール可能な形式または実行可能な形式のファイルで、フレキシブルディスク、ＣＤ−Ｒ、ＤＶＤ（Digital  Versatile  Disk）、ブルーレイディスク（登録商標）、半導体メモリ等の記録媒体に記録して提供してもよい。
【００９６】
また、各実施形態で実行されるプログラムを、インターネット等のネットワークに接続されたコンピュータ上に格納し、ネットワーク経由でダウンロードさせることにより提供するように構成してもよい。また、各実施形態で実行されるプログラムをインターネット等のネットワーク経由で提供または配布するように構成してもよい。
【００９７】
以上、本発明の実施形態及び変形例を説明したが、実施形態及び変形例は、例として提示したものであり、発明の範囲を限定することは意図していない。これらの新規な実施形態及び変形例は、その他の様々な形態で実施されることが可能であり、発明の要旨を逸脱しない範囲で、種々の省略、置き換え、変更を行うことができる。これらの実施形態及び変形例は、発明の範囲や要旨に含まれるとともに、特許請求の範囲に記載された発明とその均等の範囲に含まれる。
【符号の説明】
【００９８】
１２                                              乾燥機構
１２０（１２０ａ、１２０ｂ）                      乾燥経路
１２１                                            排出経路
１２２                                            加熱ローラ
１２３（１２３ａ、１２３ｂ、１２３ｃ、１２３ｄ）  アイドルローラ
１２４（１２４ａ、１２４ｂ、１２４ｃ、１２４ｄ）  ヒータ
【先行技術文献】
【特許文献】
【００９９】
【特許文献１】特開２００２−３４７２２６号公報
【図１】
2017094515.tif 000006
【図２】
2017094515.tif 000007
【図３】
2017094515.tif 000008
【図４】
2017094515.tif 000009
【図５】
2017094515.tif 000010
【図６】
2017094515.tif 000011
【図７】
2017094515.tif 000012
【図８】
2017094515.tif 000013
【図９】
2017094515.tif 000014
【図１０】
2017094515.tif 000015